(57)【要約】【課題】金庫を床等の固定部に確実に固定することができ、また取付け、取外し作業も短時間で行え、しかも構造が簡単で安価である金庫の固定装置を提供する。【解決手段】底板５の両側縁及び後縁に規制板６，７を立設し、前部を開放したベース体３を床等の固定部に固定するとともに、該ベース体の底板上に金庫１を載置し、該金庫を後方へスライド移動させて該金庫の下端部とベース体とを上方持ち上がり規制した状態に係合するとともに、ベース体の前部にカバー体４を嵌着して金庫の前方移動を規制してなる。【選択図】　　　　図２
2004092264.tif 000002
【特許請求の範囲】
【請求項１】
底板の両側縁及び後縁に規制板を立設し、前部を開放したベース体を床等の固定部に固定するとともに、該ベース体の底板上に金庫を載置し、該金庫を後方へスライド移動させて該金庫の下端部とベース体とを上方持ち上がり規制した状態に係合するとともに、前記ベース体の前部にカバー体を嵌着して金庫の前方移動を規制してなることを特徴とする金庫の固定装置。
【請求項２】
前記ベース体の後部両側に第１係止部を前方へ突設するとともに、前記金庫の下面後部両側に該第１係止部を前後方向から係合する第１係合孔を形成する一方、前記金庫の下面前部両側に第２係止部を後方へ突設するとともに、前記ベース体の底板前部両側に立起した固定部材に該第２係止部を前後方向から係合する第２係合孔を形成し、前記ベース体の両固定部材に前記カバー体の背面の嵌着機構部を抜止め状態で嵌着すると同時に、該カバー体の背面に両側部に設けた当止部を金庫の適所に当止して該金庫の前方移動を規制してなる請求項１記載の金庫の固定装置。
【請求項３】
金庫の下面四隅にコロを隠蔽するようにコーナー部材を設け、後方の両コーナー部材の後面板に前記第１係合孔を形成し、前方の両コロの前後方向に向いた支軸を前記第２係止部とし、該両支軸の前端部を前記カバー体の当止部で当止し、該支軸の前方移動を規制してなる請求項２記載の金庫の固定装置。
【請求項４】
前記ベース体の両固定部材に、互いに平行に前後方向に向いた係止板を形成し且つ該係止板に係合孔を形成するとともに、該係止板の前縁に外側へ傾斜して広がった案内板を形成し、前記カバー体の嵌着機構部として横方向へスライド移動可能且つ外側へ弾性付勢した左右一対の係止杆を設け、前記ベース体の前部にカバー体を嵌着するにあたり、該係止杆の先端を前記案内板で案内して前記係止板の係合孔に係合してなる請求項２又は３記載の金庫の固定装置。
【発明の詳細な説明】
【０００１】
【発明の属する技術分野】
本発明は、金庫の固定装置に係わり、更に詳しくは据え付けた金庫を床等の固定部に固定するための金庫の固定装置に関するものである。
【０００２】
【従来の技術】
従来から、金庫の持ち逃げ対策として、床に金庫を固定する方法は各種提供されている。代表的な例としては、鋼材Ｌアングル等を使い、床にアンカーボルトを用いて金庫を固定する方法があるが、取付け、取外しに手間を要し、また誰にでも時間をかければ外せるといった問題があった。
【０００３】
また、実開昭６２−３４０７６号公報にて開示される如く、床に固定した下部筐体に、金庫の下面に固定した上部筐体を外嵌するとともに、下部筐体内に設けた複数のロック部材を回転操作によって側方へ突出させて前記上部筐体の側面部の係止部内に挿入する金庫の固定装置も提供されている。
【０００４】
しかし、この公報記載の固定装置は、ロック機構部を構成する螺軸を回転操作して、該螺軸に螺合したナット部材の変位によって複数のロック部材を連動させて駆動する構造であるので、機構が複雑で高価であるばかりでなく、螺軸を回転させれば誰でも金庫を外すことができるといった不都合がある。
【０００５】
【発明が解決しようとする課題】
本発明が前述の状況に鑑み、解決しようとするところは、金庫を床等の固定部に確実に固定することができ、また取付け、取外し作業も短時間で行え、しかも構造が簡単で安価である金庫の固定装置を提供する点にある。
【０００６】
【課題を解決するための手段】
本発明は、前述の課題解決のために、底板の両側縁及び後縁に規制板を立設し、前部を開放したベース体を床等の固定部に固定するとともに、該ベース体の底板上に金庫を載置し、該金庫を後方へスライド移動させて該金庫の下端部とベース体とを上方持ち上がり規制した状態に係合するとともに、前記ベース体の前部にカバー体を嵌着して金庫の前方移動を規制してなる金庫の固定装置を構成した。
【０００７】
具体的には、前記ベース体の後部両側に第１係止部を前方へ突設するとともに、前記金庫の下面後部両側に該第１係止部を前後方向から係合する第１係合孔を形成する一方、前記金庫の下面前部両側に第２係止部を後方へ突設するとともに、前記ベース体の底板前部両側に立起した固定部材に該第２係止部を前後方向から係合する第２係合孔を形成し、前記ベース体の両固定部材に前記カバー体の背面の嵌着機構部を抜止め状態で嵌着すると同時に、該カバー体の背面に両側部に設けた当止部を金庫の適所に当止して該金庫の前方移動を規制してなるのである。
【０００８】
ここで、金庫の下面四隅にコロを隠蔽するようにコーナー部材を設け、後方の両コーナー部材の後面板に前記第１係合孔を形成し、前方の両コロの前後方向に向いた支軸を前記第２係止部とし、該両支軸の前端部を前記カバー体の当止部で当止し、該支軸の前方移動を規制してなることが好ましい。
【０００９】
また、前記ベース体の両固定部材に、互いに平行に前後方向に向いた係止板を形成し且つ該係止板に係合孔を形成するとともに、該係止板の前縁に外側へ傾斜して広がった案内板を形成し、前記カバー体の嵌着機構部として横方向へスライド移動可能且つ外側へ弾性付勢した左右一対の係止杆を設け、前記ベース体の前部にカバー体を嵌着するにあたり、該係止杆の先端を前記案内板で案内して前記係止板の係合孔に係合してなることも好ましい。
【００１０】
【発明の実施の形態】
次に本発明の実施の形態を添付図面に基づき更に詳細に説明する。図１は金庫を固定装置で床面に固定した状態を示し、図２は要部の分解斜視図、図３〜図８は各部の詳細を示し、図中符号１は金庫、２は固定装置、３はベース体、４はカバー体をそれぞれ示している。
【００１１】
本発明に係る金庫の固定装置は、図２に示すように、底板５の両側縁及び後縁に規制板６，６，７を立設し、前部を開放したベース体３を床等の固定部に固定するとともに、該ベース体３の底板５上に金庫１を載置し、該金庫１を後方へスライド移動させて該金庫１の下端部とベース体３とを上方持ち上がり規制した状態に係合するとともに、前記ベース体３の前部にカバー体４を嵌着して金庫の前方移動を規制してなるものである。ここで、前記ベース体３は、床等の固定部にアンカーボルト８，…などの適宜な固定手段で固定するが、該ベース体３の上に金庫１を載置した際には、前記固定手段は完全に見えないようにする必要がある。
【００１２】
更に具体的には、前記ベース体３の後部両側に第１係止部９，９を前方へ突設するとともに、前記金庫１の下面後部両側に該第１係止部９，９を前後方向から係合する第１係合孔１０，１０を形成する一方、前記金庫１の下面前部両側に第２係止部１１，１１を後方へ突設するとともに、前記ベース体３の底板５前部両側に立起した固定部材１２，１２に該第２係止部１１，１１を前後方向から係合する第２係合孔１３，１３を形成し、前記ベース体３の両固定部材１２，１２に前記カバー体４の背面の嵌着機構部１４を抜止め状態で嵌着すると同時に、該カバー体４の背面に両側部に設けた当止部１５，１５を金庫１の適所に当止して該金庫１の前方移動を規制するようにしている。
【００１３】
次に、各部の詳細を図２〜図８に基づいて説明する。前記金庫１の下面には、四隅にコロ１６，…を設け、各コロ１６は前後方向の支軸１７にて回転可能に支持され、更に下面四隅に前記コロ１６，…を隠蔽するように平面視略Ｌ字形のコーナー部材１８を設け、後方の両コーナー部材１８，１８の後面板１９に前記第１係合孔１０，１０を形成し、前方の両コロ１６，１６の前後方向に向いて突出させた支軸１７，１７の後部を前記第２係止部１１，１１としている。
【００１４】
また、前記ベース板３は、四角形の底板５の両側に側部規制板６，６を折曲形成するとともに、後縁に後部規制板７を折曲形成し、該後部規制板７の両側部に前記第１係止部９，９として、ピンを前方へ向けて突設している。また、前記ベース体３の底板５の前部両側には前記固定部材１２，１２が突設されている。この固定部材１２は、底板５の一部を切起して形成しても良いが、本実施形態では別部材として底板５の上面に溶接若しくはネジ止めしている。具体的には、前記固定部材１２は、前記底板５に固定する固定板２０に、前記第２係合孔１３を形成した係合板２１を横方向に向けて立起形成し、その内方側に前後方向に向いた係止板２２を形成し且つ該係止板２２に係合孔２３を形成するとともに、該係止板２２の前縁に外側へ傾斜して広がった案内板２４を形成したものである。ここで、前記両固定部材１２，１２の係止板２２，２２は互いに平行に配置されている。
【００１５】
また、前記カバー体４は、図２、図３及び図５に示すように、前記ベース体３の規制板６，６と略同一高さの上下幅を有する前板２５の上下縁及び両側縁を後方へ折曲して補強縁２６を形成した断面略コ字形の強度の高い部材であり、上部補強縁２６の中央部を後方へ延長して前記両固定部材１２，１２の係止板２２，２２間に嵌入する嵌合板２７を形成するとともに、該嵌合板２７の部分にベース体３へ嵌め殺し的に取付ける嵌着機構部１４を設けている。具体的には、前記嵌合板２７の下面であって前記前板２５の後面両側部に、平面視略コ字形の受部材２８，２８を固着し、各受部材２８の一対の板片２９，２９に係止杆３０を横方向へスライド移動可能に嵌挿するとともに、両板片２９，２９間の係止杆３０の途中に設けたリング３１と内側の板片２９間に圧縮状態で設けた圧縮コイルばね３２にて外側へ弾性付勢し、この弾性付勢した左右一対の係止杆３０，３０で嵌着機構部１４を構成している。尚、前記係止杆３０は、先端が所定長さ以上に外側の板片２９から突出しないように、内方の基端部にストッパー３３を設け、該ストッパー３３を内側の板片２９に当止するようにしている。また、このカバー体４の前板２５の両側部には、前記当止部１５，１５としてピンを突設している。
【００１６】
このように構成した固定装置２で金庫１を固定するには、先ず図４に示すように、床等の固定部に固定した前記ベース体３の底板５の上面でやや前方寄りに、金庫１を載置する。それから、前記金庫１を後方へ押し、前記底板５上をコロ１６，…を摺動しながら後方へ移動させ、後方両側部の両コーナー部材１８，１８の後面板１９に形成した前記第１係合孔１０，１０を、前記ベース体３の後部規制板７に設けた第１係止部９，９に前方から挿入すると同時に、前方両側部のコロ１６，１６の支軸１７，１７の後部、即ち第２係止部１１，１１を、前記両固定部材１２，１２の係合板２１，２１に形成した第２係合孔１３，１３に前方から挿入し、金庫１の下端部とベース体３とを上方持ち上がり規制した状態に係合する。この状態で、前記前方のコロ１６は、前記固定部材１２の係合板２１の前面に当止し、金庫１のそれ以上の後方移動を規制している。それから、図５及び図６に示すように、前方から前記カバー体４を後方へ移動させると、前記嵌合板２７が、前記両固定部材１２，１２の係止板２２，２２間に嵌入するとともに、前記両係止杆３０，３０の先端が両固定部材１２，１２の案内板２４，２４に摺動案内されて圧縮コイルばね３２の弾性付勢力に抗して没入し、前記係止板２２，２２に至った後、前記係合孔２３，２３にそれぞれ嵌入し、それと同時に前記当止部１５，１５で前方のコロ１６，１６の支軸１７，１７の前端部を当止し、該支軸１７，１７の前方移動を規制し、前記第２係合孔１３から抜けないようにするとともに、金庫１の前方移動を規制している。この際、前記当止部１５を構成するピンは、前方のコーナー部材１８の前面板３４に形成した開口３５を貫通して前記支軸１７に当接するようにしている。尚、前記金庫１をベース体３に載置し、後方へ移動させた際に、前方のコロ１６，１６の支軸１７，１７の後端部で構成した第２係止部１１，１１が、前記第２係合孔１３，１３に挿入される長さが少ない場合でも、前記カバー体４の当止部１５，１５で支軸１７，１７を後方へ押して移動させることにより、更に確実に第２係止部１１，１１が第２係合孔１３，１３に係合するのである。
【００１７】
図６及び図７は、金庫１を固定装置２で床等の固定部に固定した状態を示している。この状態では、前記カバー体４は、前記両係止杆３０，３０の先端が前記係合孔２３，２３に嵌合しているので、前記ベース体３に対して前方へ前後方向へ移動することがなく、また金庫１の下面とベース体３の底板５との間に位置するので、上下方向へ移動することがなく、従って該カバー体４はベース体３に強固に固定されている。それにより、金庫１の前方移動がカバー体４の当止部１５で規制されるので、第１係止部９，９と第１係合孔１０，１０、第２係止部１１，１１と第２係合孔１３，１３との係合が外れることがなく、それにより金庫１を持ち上げることが不可能となっている。尚、側方及び後方へは、ベース体３の側部規制板６，６と後部規制板７とで、金庫１のコーナー部材１８，…を当止することで、金庫１の移動を更に確実に規制している。
【００１８】
更に、本実施形態では、前記固定部材１２の案内板２４の前端から外側位置に、取付板３６を立設し、該取付板３６に螺孔３７を形成し、それに対応する前記カバー体４の前板２５と前側コーナー部材１８の前面板３４にそれぞれ貫通孔３８，３９を形成し、前方から固定ネジ４０を貫通孔３８，３９に挿通し、前記螺孔３７に螺合して、更に強固に前記カバー体４をベース体３に固定している。この固定ネジ４０は、前記カバー体４の前板２５の表面に見えているので、攻撃対象にされ易いが、仮にこの固定ネジ４０を外されても前記カバー体４は外れることがないので、防盗性に優れている。しかし、前記固定ネジ４０でカバー体４をベース体３に固定する必要は特にない。ここで、前記固定ネジ４０は、ダミーの固定手段としての意味合いもあり、破壊活動に対して少しでも時間稼ぎできる。
【００１９】
また、前記受部材２８を設けた位置の前板２５に貫通孔若しくは螺孔を形成し、これにカバー体４の固定には関係ないネジ４１を螺合しておき、このネジ４１もダミーの固定手段として見せる。このネジ４１を外した後の貫通孔若しくは螺孔から棒状の治具を挿入し、その治具の先端で前記リング３１を内方へ移動させれば、前記係止杆３０が前記係合孔２３から抜けるので、この状態でカバー体４を引き出すことができ、もって金庫１の固定を解除できるが、内部構造及びリング３１の正確ない位置を知らない者にとってこの作業は思いも寄らないので、防盗性においては全く問題はない。尚、前記ネジ４１とそれを螺合する貫通孔若しくは螺孔をカバー体４に設けなくても、この位置と略同じ位置をドリルで穿孔することで、カバー体４を外すことが可能である。
【００２０】
【発明の効果】
以上にしてなる請求項１に係る発明の金庫の固定装置は、底板の両側縁及び後縁に規制板を立設し、前部を開放したベース体を床等の固定部に固定するとともに、該ベース体の底板上に金庫を載置し、該金庫を後方へスライド移動させて該金庫の下端部とベース体とを上方持ち上がり規制した状態に係合するとともに、前記ベース体の前部にカバー体を嵌着して金庫の前方移動を規制してなるので、金庫を床等の固定部に確実に固定することができる。
【００２１】
請求項２によれば、金庫を床等の固定部に確実に固定することができるとともに、取付け作業も短時間で行え、しかも構造が簡単で安価である金庫の固定装置を提供できる。
【００２２】
請求項３によれば、ベース体に対する金庫の固定が強固であるとともに、既存の構造を一部利用するので、部品点数が極めて少なく、安価に構成できる。
【００２３】
請求項４によれば、ベース体に対してカバー体をワンタッチで簡単に嵌め殺し的に取付けることができ、その取付け作業が短時間で行える。
【図面の簡単な説明】
【図１】金庫を固定装置で固定した状態の全体斜視図である。
【図２】本発明に係る金庫の固定装置の要部の分解斜視図である。
【図３】カバー体の一部省略斜視図である。
【図４】金庫を固定する手順を示し、金庫をベース体に載置した状態を示した横断面図である。
【図５】金庫を固定する手順を示し、金庫を後方へ移動させ、前方からカバー体を取付ける状態を示した横断面図である。
【図６】金庫を固定する手順を示し、金庫をベース体に係合し、ベース体にカバー体を取付けた状態を示した横断面図である。
【図７】同じく金庫を固定した状態の部分正面図である。
【図８】同じく金庫を固定した状態の部分横断面図である。
【符号の説明】
１　金庫　　　　　　　２　固定装置
３　ベース体　　　　　４　カバー体
５　底板　　　　　　　６　側部規制板
７　後部規制板　　　　８　アンカーボルト
９　第１係止部　　　　１０　第１係合孔
１１　第２係止部　　　１２　固定部材
１３　第２係合孔　　　１４　嵌着機構部
１５　当止部　　　　　１６　コロ
１７　支軸　　　　　　１８　コーナー部材
１９　後面板　　　　　２０　固定板
２１　係合板　　　　　２２　係止板
２３　係合孔　　　　　２４　案内板
２５　前板　　　　　　２６　補強縁
２７　嵌合板　　　　　２８　受部材
２９　板片　　　　　　３０　係止杆
３１　リング　　　　　３２　圧縮コイルばね
３３　ストッパー　　　３４　前面板
３５　開口　　　　　　３６　取付板
３７　螺孔　　　　　　３８，３９　貫通孔
４０　固定ネジ　　　　４１　ネジ
【図１】
2004092264.tif 000003
【図２】
2004092264.tif 000004
【図３】
2004092264.tif 000005
【図４】
2004092264.tif 000006
【図５】
2004092264.tif 000007
【図６】
2004092264.tif 000008
【図７】
2004092264.tif 000009
【図８】
2004092264.tif 000010